(57)【要約】【課題】シートベルトをシートバックに隣接する内装部材の前面に配置した場合に、シートバックが移動しても内装部材の前面に形成された吸気口がシートベルトによって塞がれ難くする。【解決手段】シートバック５ｂの側部に隣接するトランクサイドライニング６の前面６ａに吸気口７が形成され、非使用状態においてトランクサイドライニング６の前面６ａとの間に隙間をもってシートベルト９が配置される自動車１において、シートベルト９の下端９ａをフロアパネル２ｂに設置されたロワアンカ１０に連結し、トランクサイドライニング６におけるシートベルト９の下端９ａに隣接する位置に、シートベルト９の連結端９ｂの移動を規制する下部突起６ｄを設けたシートベルト取付構造とする。【選択図】図３
2010149608.tif 000002
【特許請求の範囲】
【請求項１】
シートバックの側部に隣接する車両内装部材の前面に吸気口が形成され、非使用状態におけるシートベルトが前記車両内装部材の前面との間に隙間をもって配置される車両において、
前記シートベルトの下端が車体に設置されたロワアンカに連結され、
前記車両内装部材における前記シートベルトの下端に隣接する位置に、当該シートベルトの下端部の移動を規制する移動規制手段が設けられたことを特徴とするシートベルト取付構造。
【請求項２】
前記移動規制手段は前記車両内装部材に形成された突起部であることを特徴とする、請求項１に記載のシートベルト取付構造。
【請求項３】
前記シートベルトの前記ロワアンカとの連結端がアンカブーツによって覆われ、当該アンカブーツが前記移動規制手段によって係止されることを特徴とする、請求項１または請求項２に記載のシートベルト取付構造。
【発明の詳細な説明】
【技術分野】
【０００１】
本発明は、車両のシートベルト取付構造に係り、特に、非使用状態において、シートバックの側部に隣接する車両用内装部材の前面に沿ってシートベルトが配置される車両におけるシートベルト取付構造に関する。
【背景技術】
【０００２】
電気自動車やハイブリッド車両では、駆動原となる電動機に電気を供給するためのバッテリが車体後部のラゲッジスペースに搭載されることがある。このバッテリは、ニッカド電池やニッケル−水素電池などの繰り返し充放電が可能な二次電池であり、充放電の際に電池セルから熱が発生するため、送風ファンなどを用いて車室内の空気を送風し、冷却する必要がある。
【０００３】
このようなバッテリの冷却装置として、後席シートの側部に隣接するシートサイドガーニッシュの前面に吸気ダクトの吸気口を設け、この吸気口から取り入れた車室内の空気をバッテリに送風して冷却するものが知られている（特許文献１参照）。
【特許文献１】特開２００４−１６８３号公報
【発明の開示】
【発明が解決しようとする課題】
【０００４】
しかしながら、バッテリ冷却用の吸気口がシートバックの側部に隣接する内装部材の前面に設けられた場合、シートベルトは、非使用状態においてシートバックの前面に沿うように配置されると、車幅方向内側に寄ってその使い勝手が悪くなる。そこで、本出願人は特願２００７−３３２５９０号として、シートバックに隣接する内装部材の前面にバッテリ冷却用の吸気口が設けられた車両において、非使用状態のシートベルトを内装部材の前面に沿って配置するとともに、シートベルトによって吸気口が塞がれることのないように、内装部材の前面上部において前方へ突出形成した突起にシートベルトを支持させることにより、シートベルトと吸気口との間に所定の隙間を形成した冷却風取入構造を提案している。
【０００５】
ところが、シートベルト上部が突起の前面に支持されて吸気口とシートベルトとの間に隙間が形成されたことにより、吸気口がシートベルトによって塞がれることは防止されるが、シートバックの移動によってシートベルトの下部がずれてしまうと、この隙間が小さくなり、吸気口がシートベルトによって塞がれがちになる虞がある。
【０００６】
本発明は、このような背景に鑑みなされたもので、シートベルトをシートバックに隣接する内装部材の前面に配置した場合に、シートバックが移動しても内装部材の前面に形成された吸気口がシートベルトによって塞がれ難くすることを目的とする。
【課題を解決するための手段】
【０００７】
上記課題を解決するために、第１の発明は、シートバック（５ｂ）の側部に隣接する車両内装部材（６）の前面（６ａ）に吸気口（７）が形成され、非使用状態において車両内装部材（６）の前面（６ａ）との間に隙間をもってシートベルト（９）が配置される車両（１）において、シートベルト取付構造を、シートベルト（９）の下端（９ａ）が車体（２ｂ）に設置されたロワアンカ（１０）に連結され、車両内装部材（６）におけるシートベルト（９）の下端（９ａ）に隣接する位置に、シートベルト（９）の下端部（９ｂ）の移動を規制する移動規制手段（６ｄ）が設けられるように構成する。
【０００８】
この発明によれば、シートベルトの下端部の移動が移動規制手段によって規制されるため、シートバックを移動してもシートベルトと車両内装部材の前面との間の隙間が小さくなることが防止される。したがって、車両用内装部材の前面に形成された吸気口がシートベルトによって塞がれ難くなる。
【０００９】
また、第２の発明は、第１の発明に係るシートベルト取付構造において、移動規制手段を車両内装部材（６）に形成された突起部（６ｄ）から構成する。
【００１０】
この発明によれば、移動規制手段を別途設ける必要がないため、部品点数の増加を招くことなくシートベルト下端部の移動を規制することができる。
【００１１】
また、第３の発明は、第１または第２の発明に係るシートベルト取付構造において、シートベルト（９）のロワアンカ（１０）との連結端（９ｂ）がアンカブーツ（１４）によって覆われ、アンカブーツ（１４）が移動規制手段によって係止されるように構成する。
【００１２】
この発明によれば、織布などの柔軟な素材からなるシートベルトは、移動規制手段によって連結端の移動が規制されても、連結端自体の変形によってその位置が変化し得るが、ロワアンカに対するシートベルトの連結端がアンカブーツによって覆われ、アンカブーツが移動規制手段によって係止されることにより、位置の変化が防止される。したがって、シートベルトと吸気口との間の隙間が維持され、吸気口がシートベルトによって塞がれ難くなる。
【発明の効果】
【００１３】
本発明によれば、シートベルトをシートバックに隣接する内装部材の前面に配置した場合に、シートバックが移動してもシートベルトの下端部が内装部材の前面に形成されシートベルトと車両内装部材の前面との間の隙間が小さくなることが防止され、吸気口がシートベルトによって塞がれ難くなる。
【発明を実施するための最良の形態】
【００１４】
以下、図面を参照して実施形態に係るシートベルト取付構造について詳細に説明する。
【００１５】
図１はシートを透視して示す車室後部の斜視図である。自動車１は、ハイブリッド車両であって、モータジェネレータに電気を供給する電源装置を、車体２後部のトランクルーム３の下方に形成された凹部内に収容している。トランクルーム３の前方には、客室４を区画するリヤシート５が設置されている。リヤシート５は、乗員が着座するシートクッション５ａとシートバック５ｂとから構成されている。シートバック５ｂは、長尺物の荷物を積むときなどのために、その下端を中心として前方へ転倒可能となっている。
【００１６】
シートバック５ｂの車幅方向外側であってドアオープニング２ａとの間には、内装部材であるトランクサイドライニング６の一部が設けられている。トランクサイドライニング６の前面６ａは、シートバック５ｂの前面と連なるように配置され、上下方向に細長く延在した状態で客室４に露出している。トランクサイドライニング６の前面６ａにおける上部には、電源装置を冷却すべく客室４の空気を取り入れるための吸気口７が形成されている。吸気口７は上下に２分割されており、その内部すなわちダクト入り口付近には、図示しない複数の縦フィンおよび横フィンがルーバーを形成し、異物がダクト内に流入しないようになっている。
【００１７】
トランクサイドライニング６内の上部には、車体２にボルト締結されたリトラクタ８が収容されている。リトラクタ８から引き出された織布からなるシートベルト９は、トランクサイドライニング６の上面に形成されたシートベルト引出口６ｂを通って客室４側へ延び、トランクサイドライニング６の前面６ａに沿ってリヤシート５の下方へと延びている。シートベルト９の下端９ａは、車体２を構成するフロアパネル２ｂに設置されたロワアンカ１０に連結している。したがって、非使用状態では、シートベルト９は吸気口７を覆うように配置されている。シートベルト９にはタング１１が摺動可能に取り付けられている。
【００１８】
図１はシートベルト９の非使用状態を示しているが、乗員がリヤシート５に着座してシートベルト９を使用する場合、まず乗員は、タング１１を把持して腹部および胸部をクロスするようにシートベルト９を引き出し、図示しないバックルにタング１１を係着させる。すると、リトラクタ８のテンションによってシートベルト９が身体に密着する。
【００１９】
図２は図１中のＡ部拡大図である。トランクサイドライニング６における前面６ａの上端には、車体前方へ突出する上部突起部６ｃが一体形成されている。トランクサイドライニング６の上面に当接して延在するシートベルト９は、この上部突起部６ｃに沿って屈曲するとともに上部突起部６ｃの前面に当接した状態で下方へ延在する。したがって、シートベルト９は、上部突起部６ｃの下方においてはトランクサイドライニング６の前面６ａとの間に隙間をもって下方へ延びている。
【００２０】
図３は図１中のＢ部拡大図である。ロワアンカ１０は、ボルト挿通孔を有するとともに略水平に延在してフロアパネル２ｂに当接する水平部１０ａと、水平部１０ａの車幅方向外側の一端縁から立ち上げられた起立部１０ｂとから構成されている。ロワアンカ１０は、１本のアンカボルト１２によってフロアパネル２ｂに締結されている。ロワアンカ１０の起立部１０ｂにはシートベルトを連結させるためのベルト挿通孔１０ｃが形成されている。シートベルト９は、ベルト挿通孔１０ｃに挿通された部分が折り返されて重なり合った連結端９ｂが縫合されることにより、ロワアンカ１０に連結している。また、シートベルト９の下端９ａには、連結端９ｂを覆う樹脂製のアンカブーツ１４が設けられている。
【００２１】
フロアパネル２ｂ上には、トランクサイドライニング６がロワアンカ１０に隣接して配置されている。そして、トランクサイドライニング６におけるアンカブーツ１４の車体後方には、車幅方向内側および車体前方へ向けて突出する下部突起部６ｄが一体形成されている。アンカブーツ１４は、その後面が下部突起部６ｄの前面と当接することによって係止され、シートベルト９の連結端９ｂの車体後方への移動が規制される。
【００２２】
このように、シートベルト９の連結端９ｂの移動がトランクサイドライニング６の下部突起部６ｄによって規制されるため、シートバック５ｂを移動してもシートベルト９とトランクサイドライニング６の前面６ａとの間の隙間が小さくなることが防止され、トランクサイドライニング６の前面６ａに形成された吸気口７がシートベルト９によって塞がれることが防止される。
【００２３】
そしてシートベルト９は、その連結端９ｂがアンカブーツ１４によって覆われ、アンカブーツ１４がトランクサイドライニング６の下部突起部６ｄによって係止されることにより、連結端９ｂ自体の変形によるその配置位置の変更が防止される。したがって、シートベルト９と吸気口７との間の隙間が維持され、吸気口７がシートベルト９によってより塞がれ難くなっている。
【００２４】
また、移動規制手段として下部突起部６ｄがトランクサイドライニング６に一体形成されているため、部品点数の増加を招くことなくシートベルト９の連結端９ｂの移動を規制することが可能となっている。
【００２５】
以上で具体的実施形態の説明を終えるが、本発明は上記実施形態に限定されることなく幅広く変形実施することができる。例えば、上記実施形態では、シート取付構造をハイブリッド車に適用しているが、電気自動車に適用してもよい。また、トランクサイドライニング６の前面６ａに形成された吸気口７は、電源装置の冷却用に用いられているが、他の装置の冷却用などに利用されてもよい。また、ロワアンカ１０はアンカボルト１２によってフロアパネル２ｂに回動不能に設置されているが、ベアリングを介装させて回動自在に設置されていてもよい。更に、移動規制手段はトランクサイドライニング６に形成された下部突起部６ｄに限定されるものではなく、他の内装部材に形成され、あるいは別部材として設置されてもよい。この他、本発明の趣旨を逸脱しない範囲で適宜変更可能である。
【図面の簡単な説明】
【００２６】
【図１】シートを透視して示す車室後部の斜視図
【図２】図１中のＡ部拡大図
【図３】図１中のＢ部拡大図
【符号の説明】
【００２７】
１      自動車
２      車体
２ａ    ドアオープニング
２ｂ    フロアパネル
５      リヤシート
５ａ    シートクッション
５ｂ    シートバック
６      トランクサイドライニング
６ａ    前面
６ｃ    上部突起部
６ｄ    下部突起部
７      吸気口
９      シートベルト
９ａ    下端
９ｂ    連結端
１０    ロワアンカ
１２    アンカボルト
１４    アンカブーツ
【図１】
2010149608.tif 000003
【図２】
2010149608.tif 000004
【図３】
2010149608.tif 000005